(57)【特許請求の範囲】
【請求項１】
互いに異なる処置部を備える複数種類の処置具を取付可能とする処置具操作装置であって、各処置具における処置部を操作する操作部を駆動するための駆動部と、前記駆動部に設けられ、前記各処置具の操作部が取り付けられる操作部取付部と、前記駆動部の駆動を制御する制御装置と、を備える処置具操作装置において、
前記各処置具は、当該処置具における前記操作部を前記処置具操作装置における前記操作部取付部に取り付ける際の当該操作部に係る所定の位置情報が前記処置部毎に異なる構成を有する共に、当該処置具の種類及び機種を特定するための処置具情報を登録した処置具特定部を備え、
前記操作部取付部は、当該操作部取付部に前記処置具における前記操作部が取り付けられる際に、前記処置具特定部に登録されている処置具情報を取得すると共に、当該処置具の取り付けが開始されたことを告知する取付開始信号を前記制御装置に対して出力する指示信号出力機能を有する処置具情報取得部を備え、
前記制御装置は、
処置具の種類及び機種毎に予め設定されている前記操作部の位置情報である取付時離間距離および最大移動距離を含む、前記処置具情報に対応する対応処置具情報が登録される処置具情報記憶部と、
前記処置具情報取得部から前記処置具情報を含む取付開始信号が入力された際、前記処置具情報記憶部に登録されている前記対応処置具情報の中から、当該制御装置に入力された前記処置具情報に対応する前記対応処置具情報を取得して、少なくとも、前記操作部取付部を前記取付時離間距離に設定する制御信号を前記駆動部に出力する信号出力部と、
を具備することを特徴とする処置具操作装置。
【請求項２】
前記操作部は、サムリングとスライダとを備える操作ハンドルであって、
前記操作部取付部は、前記操作ハンドルを構成する前記スライダを保持する第１保持部、及び前記操作ハンドルを構成する前記サムリングを保持する第２保持部を備えることを特徴とする請求項１に記載の処置具操作装置。
【請求項３】
前記サムリングは前記処置具特定部を備え、前記第２保持部は前記処置具情報取得部を備えることを特徴とする請求項２に記載の処置具操作装置。
【請求項４】
前記駆動部は、前記制御装置から前記駆動部に出力される制御信号に基づいて、前記第１保持部又は前記第２保持部を移動させて、前記操作ハンドルを構成するサムリングとスライダとの間隔を取付時離間距離に設定することを特徴とする請求項２に記載の処置具操作装置。
【請求項５】
前記駆動部によって前記サムリングとスライダとが術中に移動される距離は、前記信号出力部において取得した、前記処置具情報記憶部に登録された前記対応処置具情報に含まれる前記最大移動距離の情報に基づいて、処置具毎に制限されることを特徴とする請求項４に記載の処置具操作装置。
【請求項６】
更に、
前記制御装置に接続され、前記操作部取付部に取り付けられる処置具の種類を特定する、処置具特定情報を出力する複数の処置具選択部を有する処置具特定装置を具備することを特徴とする請求項１に記載の処置具操作装置。
【請求項７】
前記処置具特定装置の処置具選択部を選択することによって出力される処置具特定情報が入力される前記制御装置は、
処置具の種類及び機種毎に予め設定されている前記操作部の位置情報である取付時離間距離、最大移動距離を含む処置具情報が登録される処置具情報記憶部と、
前記処置具情報記憶部に登録されている各種処置具情報の中から前記制御装置に入力された前記処置具特定情報に対応する処置具の処置具情報を取得して、少なくとも、前記操作部取付部を取付時離間距離に設定する制御信号を前記駆動部に出力する信号出力部と、
を具備することを特徴とする請求項６に記載の処置具操作装置。
【請求項８】
異なる処置部を備え、その処置部を操作する操作部の取付時離間距離が異なる複数種類の処置具と、
前記処置具が備える前記操作部を駆動するための駆動部、前記駆動部に設けられる前記操作部が取り付けられる操作部取付部、及び前記操作部を前記操作部取付部に取り付ける際、処置具取付開始の取付開始信号であって当該処置具における処置具情報を含む取付開始信号を出力する指示信号出力部を備える処置具操作装置と、
前記処置具操作装置が接続され、処置具の種類及び機種毎に予め設定されている前記操作部の位置情報である取付時離間距離および最大移動距離を含む前記処置具情報に対応する対応処置具情報が登録される処置具情報記憶部及び前記指示信号出力部から出力された前記処置具情報を含む取付開始信号に基づいて、前記処置具情報記憶部に登録されている対応処置具情報の中から前記取付開始信号に含まれる前記処置具情報に対応する対応処置具情報を取得して、前記駆動部に制御信号を出力する信号出力部を有する制御装置と、
を具備することを特徴とする医療システム。
【請求項９】
前記医療システムはさらに、
前記処置具のそれぞれの操作部に設けられ、処置具の種類及び機種を特定するための前記処置具情報を登録した処置具特定部と、
前記処置具特定部に登録されている処置具情報を非接触で取得して、前記処置具情報を含む前記取付開始信号を前記制御装置に出力する前記指示信号出力部を兼ねる処置具情報取得部と、
を具備することを特徴とする請求項８に記載の医療システム。
【請求項１０】
前記操作部は、サムリングとスライダとを備える操作ハンドルであって、
前記操作部取付部は、前記操作ハンドルを構成する前記スライダを保持する第１保持部、及び前記操作ハンドルを構成する前記サムリングを保持する第２保持部を備えることを特徴とする請求項９に記載の医療システム。
【請求項１１】
前記サムリングは前記処置具特定部を備え、前記第２保持部は前記処置具情報取得部を備えることを特徴とする請求項１０に記載の医療システム。
【請求項１２】
前記駆動部は、前記制御装置から前記駆動部に出力される制御信号に基づいて、前記第１保持部又は前記第２保持部を移動させて、前記操作ハンドルを構成するサムリングとスライダとの間隔を取付時離間距離に設定することを特徴とする請求項１０に記載の医療システム。
【請求項１３】
前記駆動部によって前記サムリングと前記スライダとが術中に移動される距離は、前記信号出力部において取得した、前記処置具情報記憶部に登録された前記対応処置具情報に含まれる前記最大移動距離の情報に基づいて、処置具毎に制限されることを特徴とする請求項１２に記載の医療システム。
【請求項１４】
異なる処置部を備え、その処置部を操作する操作部の取付時離間距離が異なる複数種類の処置具と、
前記処置具が備える処置部を操作する操作部を駆動するための駆動部、前記操作部を前記駆動部に取り付けるための操作部取付部を備える処置具操作装置と、
前記処置具操作装置の前記操作部取付部に前記操作部を取り付ける際、当該操作部取付部に取り付けられる処置具の種類を特定させる、処置具特定情報を出力する複数の処置具選択部を有する処置具特定装置と、
処置具の種類毎に予め設定されている前記操作部の位置情報である取付時離間距離および最大移動距離を含む対応処置具情報が登録される処置具情報記憶部及び前記処置具情報記憶部に登録されている対応処置具情報の中から信号入力部に入力された前記処置具特定情報に対応する対応処置具情報を取得して、前記操作部取付部を取付時離間距離に設定する制御信号を前記駆動部に出力する信号出力部を備える制御装置と、
を具備することを特徴とする医療システム。
【発明の詳細な説明】
【技術分野】
【０００１】
本発明は、生体組織に対して処置を行う処置具を備えた医療装置、特に、体腔内に挿入される内視鏡と、この内視鏡と併用される種々の処置具がそれぞれ備える処置部を開閉操作する処置具操作装置、及びその処置具操作装置を備えた医療システムに関する。
【背景技術】
【０００２】
内視鏡は、周知のように、工業分野、或いは医療分野において広く利用されている。医療分野において用いられる医療装置である内視鏡では、挿入部を被検体の体腔内に挿入することによって、観察を行えるとともに、内視鏡の挿入部に設けられている処置具チャンネルを介して体腔内に処置具を導入することによって各種処置を行える。
【０００３】
処置具を用いて体腔組織への処置を行う場合、術者は、その処置具を内視鏡の処置具チャンネルを介して体腔内に導入した上で、体組織の採取、或いは処置等を行う。
【０００４】
処置具を体腔内に導入する際、術者は、一方の手で内視鏡の操作部を把持している。そのため、術者は、他方の手で処置具の挿入部であるシースを保持し、手作業で該シースを処置具チャンネル内に挿入していく。このとき、シースの基端側は、看護師等のスタッフによって保持される。これは、例えば２ｍにも達するシースの一部が、挿入の際に不潔領域である床等に触れることを防止するためである。
【０００５】
処置具を用いて体組織の採取を行う場合、術者は、一方の手で内視鏡操作部を把持している。そのため、術者が他方の手で内視鏡の挿入部を保持して、かつ処置具の操作部を操作することは不可能である。従って、内視鏡挿入部の保持、或いは処置具の操作部の操作は、スタッフによって行われる。
【０００６】
つまり、内視鏡の処置具チャンネル内に処置具のシースを挿入する際、及びその処置具チャンネル内に挿入されている処置具を操作する際、スタッフの補助が必要である。
【０００７】
特許文献１には内視鏡生検鉗子装置等の内視鏡手術装置の自動遠隔制御のための装置が開示されている。この自動遠隔制御装置によれば、例えば、外科医は、フットペダル、或いは音声命令によって作動手段を操作して、例えば生検鉗子を作動させることが可能である。そして、近年においては、高周波ナイフ、或いは回転クリップ等、各種処置具を自動遠隔制御装置で遠隔制御することが望まれている。  
【特許文献１】米国特許５、４３１、６４５号公報
【発明の開示】
【発明が解決しようとする課題】
【０００８】
しかしながら、各処置具の操作部を構成するサムリングとスライダとの取付時離間距離、及び最大移動距離等が処置具毎に異なっている。このため、スタッフは、自動遠隔制御装置に処置具を取り付ける際、前記遠隔装置に設けられている操作部取付部の取付位置を使用される処置具の操作部に一致させる調整作業を、その度、行わなければならないので、スタッフにとって調整作業は煩わしいかった。  
本発明は上記事情に鑑みてなされたものであり、取付時離間距離、及び最大移動距離等が異なる処置具の操作部を処置具操作装置の操作部取付部に取り付ける際、操作部取付部の取り付け位置を、取り付けられる処置具の操作部に一致させる調整作業を行うことなく、操作部の操作部取付部への取り付けを行える処置具操作装置を提供することを目的にしている。
【課題を解決するための手段】
【０００９】
本発明の一態様の処置具操作装置は、互いに異なる処置部を備える複数種類の処置具を取付可能とする処置具操作装置であって、各処置具における処置部を操作する操作部を駆動するための駆動部と、前記駆動部に設けられ、前記各処置具の操作部が取り付けられる操作部取付部と、前記駆動部の駆動を制御する制御装置と、を備える処置具操作装置において、前記各処置具は、当該処置具における前記操作部を前記処置具操作装置における前記操作部取付部に取り付ける際の当該操作部に係る所定の位置情報が前記処置部毎に異なる構成を有する共に、当該処置具の種類及び機種を特定するための処置具情報を登録した処置具特定部を備え、前記操作部取付部は、当該操作部取付部に前記処置具における前記操作部が取り付けられる際に、前記処置具特定部に登録されている処置具情報を取得すると共に、当該処置具の取り付けが開始されたことを告知する取付開始信号を前記制御装置に対して出力する指示信号出力機能を有する処置具情報取得部を備え、前記制御装置は、処置具の種類及び機種毎に予め設定されている前記操作部の位置情報である取付時離間距離および最大移動距離を含む、前記処置具情報に対応する対応処置具情報が登録される処置具情報記憶部と、前記処置具情報取得部から前記処置具情報を含む取付開始信号が入力された際、前記処置具情報記憶部に登録されている前記対応処置具情報の中から、当該制御装置に入力された前記処置具情報に対応する前記対応処置具情報を取得して、少なくとも、前記操作部取付部を前記取付時離間距離に設定する制御信号を前記駆動部に出力する信号出力部と、を具備する。
【００１０】
この構成によれば、駆動部は、指示信号出力部から制御装置に取付開始信号が出力された後に当該制御装置から当該駆動部に出力される制御信号に基づいて、前記操作部取付部を前記操作部が取り付け可能な位置に移動する。
【発明の効果】
【００１１】
本発明によれば、処置具の操作部を処置具操作装置の操作部取付部に取り付ける際、操作部取付部の取り付け位置を、取り付けられる処置具の操作部に一致させる調整作業を行うことなく、操作部を操作部取付部へ取り付けられる処置具操作装置を実現できる。
【発明を実施するための最良の形態】
【００１２】
以下、図面を参照して本発明の実施の形態を説明する。
【００１３】
図１乃至図７は本発明の一実施形態に係り、図１は処置具操作装置を備えた医療システムを説明する図、図２は処置具の構成を説明する図、図３は処置具操作装置の構成を説明する側面図、図４は処置具操作装置の構成を説明する平面図、図５はスライダ保持部視認用ラベルを説明する図、図６は処置具操作装置の作用を説明する図、図７は処置具特定装置を有する処置具操作装置を備えた医療システムを説明する図である。
【００１４】
図１に示すように本実施の形態の医療システム１は、内視鏡１０と、光源装置及びビデオプロセッサを備える制御装置２０と、操作指示装置であるコントローラ３０と、体腔組織等に対して所定の処置を行う処置部４１を有する処置具４０と、この処置部４１を電動により操作する処置部操作装置である処置具操作装置５０と、処置具４０の処置具挿入部であるシース４２を進退させる処置具進退装置である処置具挿入部電動進退装置（以下、単に電動進退装置と記載する）６０とによって、主に構成されている。
【００１５】
内視鏡１０は、先端側から順に、先端部１１、湾曲部１２、及び可撓管部１３を連設する内視鏡挿入部（以下、挿入部と略記する）１４を備える。先端部１１は硬質部材で構成され、先端部１１には先端開口１１ａが設けられている。湾曲部１２は、例えば上下方向、左右方向に湾曲自在である。可撓管部１３は、可撓性を有している。挿入部１４の基端部には操作部１５が連設しれている。
【００１６】
操作部１５は、術者の把持部を兼ねている。操作部１５からはユニバーサルコード１５ａが延出している。ユニバーサルコード１５ａの基端部には図示しないコネクタが設けられており、このコネクタを介してユニバーサルコード１５ａは制御装置２０に着脱自在な構成になっている。
【００１７】
操作部１５には、湾曲部１２を上下方向、左右方向にそれぞれ湾曲操作するための２つの湾曲ノブ１６、送気送水を行うための送気送水ボタン、吸引を行うための吸引ボタン等を含む流体制御ボタン１７、先端部１１に設けられている図示しない撮像素子で得られる内視鏡画像に対する制御を行う各種スイッチ１８等が備えられている。操作部１５の挿入部側には処置具挿通口１９が設けられている。処置具挿通口１９には挿入部１４内の処置具チャンネル１４ａの基端部が連通されており、この処置具チャンネル１４ａの先端部は先端開口１１ａに連通している。
【００１８】
コントローラ３０は、内視鏡１０の挿入部１４に自在に配置できるように構成されている。コントローラ３０は、硬質な本体部３１と、この本体部３１に連設する例えば弾性部材であるグリップ体３２とによって構成されている。グリップ体３２の基端面側からは信号ケーブル２１が延出している。信号ケーブル２１の基端には図示しないコネクタが設けられており、このコネクタを介して信号ケーブル２１は制御装置２０に着脱自在な構成である。
【００１９】
本体部３１の側部には、操作指示部３３が設けられている。操作指示部３３は、例えばジョイスティックタイプの操作レバー３４で構成されている。術者が、操作レバー３４を傾倒操作することによって、操作指示部３３から信号ケーブル２１を介して傾倒方向、及び傾倒量に対応する指示信号が制御装置２０に出力される。例えば、操作レバー３４が先端側に傾倒されることによって、制御装置２０を構成する制御部２５の制御の基、電動進退装置６０が駆動されて、処置具４０のシース４２が前進する。一方、操作レバー３４が基端側に傾倒されることによって、制御部２５の制御の基、電動進退装置６０の駆動に伴って処置具４０のシース４２は後退する。
【００２０】
処置具４０は、例えば、図２に示す生検鉗子２、回転クリップ３、高周波スネア４等である。なお、処置具４０は生検鉗子である。
【００２１】
生検鉗子２は、所定の弾発性を有する可撓性のチューブ体であるシース２ａを備えている。シース２ａは細長で、その先端部分に処置部４１として組織採取部２ｂである一対の生検カップ２ｃ、２ｄを備えている。生検カップ２ｃ、２ｄは、開閉自在に構成されており、シース２ａ内には生検カップ２ｃ、２ｄを開閉させる操作ワイヤ２ｗが挿通している。操作ワイヤ２ｗは、操作部であるハンドル部２ｈの操作によって進退移動する構成になっている。
【００２２】
生検鉗子２のハンドル部２ｈは、指掛けリング（以下、サムリングと記載）２ｔとスライダ２ｓとを備えて構成される。指掛けリング２ｔは、使用者の例えば親指が配置される孔部を備え、スライダ２ｓには使用者の人指し指、中指、或いは薬指が配置される凹部が備えられている。
【００２３】
生検鉗子２の生検カップ２ｃ、２ｄは、ハンドル部２ｈを構成するスライダ２ｓの位置を変化させて操作ワイヤ２ｗを進退させることによって、開状態から閉状態、又はその逆に動作する。生検鉗子２において、サムリング２ｔとスライダ２ｓとの初期位置である取付時離間距離Ｌ１は例えば３９ｍｍで、スライダ２ｓの最大移動距離Ｓ１は取付時位置から例えば９．５ｍｍである。
【００２４】
回転クリップ３は、所定の弾発性を有する可撓性のチューブ体である細長なシース３ａを備えている。本実施形態のシース３ａは外シース３ｏと内シース３ｉとを備えて構成されている。内シース３ｉより先端側で、外シース３ｏの先端部内には処置部４１であるクリップユニット３ｂが配置される。
【００２５】
シース３ａ内には、操作ワイヤ３ｗが挿通している。操作ワイヤ３ｗは、操作部であるハンドル部３ｈの操作によって進退移動される。クリップユニット３ｂは、クリップ３ｃと鉤部３ｄとクリップ締め付け用管部（以下、締付管と記載する）３ｅとを備えて構成されている。鉤部３ｄは、操作ワイヤ３ｗの先端に設けられているループ３ｆに引っかけられた状態でシース３ａ内に配置される。
【００２６】
回転クリップ３のハンドル部３ｈは、孔部を備えるサムリング３ｔと凹部が設けられたスライダ３ｓとを備えて構成されている。回転クリップ３のクリップユニット３ｂは、内シース３ｉを外シース３ｏに対して前進させることによって、クリップ３ｃが拡開状態になる。その後、ハンドル部３ｈを構成するスライダ３ｓの位置を変化させて、操作ワイヤ３ｗを手元側に牽引することによって、クリップ３ｃが閉状態に変形し、その後、鉤部３ｄがループ３ｆから取り外される。回転クリップ３において、サムリング３ｔとスライダ３ｓとの初期位置である取付時離間距離Ｌ２は例えば２７ｍｍで、スライダ３ｓの最大移動距離Ｓ２は取付時位置から例えば５２ｍｍである。
【００２７】
高周波スネア４は、所定の弾発性を有する可撓性のチューブ体であるシース４ａを備えている。シース４ａは細長で、その先端部分に処置部４１としてスネア部４ｂを備えている。スネア部４ｂはシース４ａの先端に対して突没自在に設けられている。シース４ａ内には、スネア部４ｂから延出する操作ワイヤ４ｗが挿通している。この操作ワイヤ４ｗは、操作部であるハンドル部４ｈの操作によって進退移動される。
【００２８】
高周波スネア４のハンドル部４ｈは、孔部を設けたサムリング４ｔと凹部を設けたスライダ４ｓとを備えて構成されている。高周波スネア４のスネア部４ｂは、ハンドル部４ｈのスライダ４ｓが前進されると、スネア部４ｂがシース４ａの先端から導出されてループ形状を形成する。一方、その状態でスライダ４ｓを後退させると、ループ形状のスネア部４ｂがシース４ａ内に収容される。高周波スネア４において、サムリング４ｔとスライダ４ｓとの初期位置である取付時離間距離Ｌ３は例えば３ｍｍであり、スライダ４ｓの最大移動距離Ｓ３は取付時位置から例えば９２ｍｍである。なお、本実施形態で使用される高周波スネア４のスライダ４ｓには図示しない高周波配線コードが電気的に接続されるようになっている。
【００２９】
上述したように、処置具の種類によって取付時離間距離が異なるとともに、最大移動距離が異なる。また、例えば同じ処置具であっても機種毎に、取付時離間距離が僅かずつ異なっている場合がある。
【００３０】
本実施形態において、生検鉗子２のハンドル部２ｈを構成するサムリング２ｔ、回転クリップ３のハンドル部３ｈを構成するサムリング３ｔ、高周波スネア４のハンドル部４ｈを構成するサムリング４ｔの所定部には、それぞれ処置具情報を登録した処置具特定部である、集積回路などの処置具ＩＤ内蔵ＩＣチップ（以下、ＲＦＩＤ（Radio Frequency Identification)と記載）２ｒ、３ｒ、４ｒが設けられている。
【００３１】
ＲＦＩＤ２ｒには処置具情報として生検鉗子２の機種情報等が登録され、ＲＦＩＤ３ｒには回転クリップ３の機種情報等が登録され、ＲＦＩＤ４ｒには高周波スネア４の機種情報等が登録されている。
【００３２】
図１に示す電動進退装置６０は、例えば内視鏡１０の処置具挿通口１９に着脱自在に設置される。電動進退装置６０は、信号線を内挿した電気ケーブル２４によって、制御装置２０と電気的に着脱自在に接続される。
【００３３】
電動進退装置６０は、筐体６１の内部に、破線に示す一対のローラ６２、６３を備えている。ローラ６２、６３は、それぞれ弾性を有する樹脂部材で構成されており、一方が図示しない駆動源であるモータ（不図示）により駆動される。
【００３４】
つまり、処置具４０のシース４２は、一対のローラ６２、６３間に配置されて、押圧挟持される。ローラ６２、６３の間にシース４２を挟持した状態で、モータを駆動することによって、例えばローラ６２の回動に伴って、２つのローラ６２、６３の間に挟持されているシース４２が、内視鏡１０の処置具チャンネル１４ａ内を前進、或いは後退する。
【００３５】
電動進退装置６０の備えるモータの駆動制御は、コントローラ３０の操作レバー３４の操作に基づいて、制御装置２０の制御部２５の制御の基で行われる。
【００３６】
図１、図３、図４に示すように処置具操作装置５０は、ベース体５１を有している。ベース体５１には、後述する第１保持部及び第２保持部で構成される操作部取付部５２と、処置部操作ボックス５３と、載置部５６とが設けられる。
【００３７】
処置部操作ボックス５３は、ベース体５１に固設されている。処置部操作ボックス５３には、直線歯形を備えるラック５４が進退自在に設けられている。処置部操作ボックス５３にはモータ５５が配設されている。モータ５５のモータ軸にはラック５４の直線歯形に噛合するピニオンギア（不図示）が固設されている。
【００３８】
したがって、ラック５４の直線歯形にピニオンギアが噛合している状態において、モータ５５を回動させることによって、モータ５５の駆動力がピニオンギアを介してラック５４に伝達される。すると、ラック５４は、図３中の矢印に示すように長手方向に進退する。つまり、ラック５４は駆動部である。
【００３９】
処置部操作ボックス５３には、電気ケーブル２３の一端が接続されている。電気ケーブル２３の他端は制御装置２０と電気的に着脱自在に接続されるようになっている。
【００４０】
なお、処置部操作ボックス５３内に設けられたモータ５５の駆動は、本実施の形態においては、コントローラ３０に設けられている操作レバー３４の長手方向に対して直交する方向である左右方向への傾倒操作により行われる。その一例として、コントローラ３０の前方に向かって右側に操作レバー３４を傾倒することにより、処置部操作ボックス５３のモータ５５が回転されてラック５４が矢印Ｆ方向に移動する構成である。逆に、操作レバー３４を前方に向かって左側に傾倒させることにより、モータ５５の回転によってラック５４が矢印Ｂ方向に移動する構成である。
【００４１】
操作部取付部５２の第１保持部であるスライダ保持部（保持部と略記する）５７は、ラック５４の基端部に設けられている。保持部５７は、ラック５４に例えばネジによって一体的に固定される。保持部５７には保持溝５７ａが形成されている。保持溝５７ａには、生検鉗子２のハンドル部２ｈを構成するスライダ２ｓ、回転クリップ３のスライダ３ｓ、高周波スネア４のスライダ４ｓ等が配置される。
【００４２】
操作部取付部５２の第２保持部であるリング押さえ部５８は、サムリング載置部（以下、載置部と略記する）５８ａとサムリング孔挿通凸部（以下、凸部と略記する）５８ｂとを備える。
【００４３】
載置部５８ａは、ベース体５１に例えばネジによって一体的に固定される。凸部５８ｂは、生検鉗子２のハンドル部２ｈを構成するサムリング２ｔに設けられた孔部、回転クリップ３のサムリング３ｔに設けられた孔部、高周波スネア４のサムリング４ｔに設けられた孔部に挿通される。
【００４４】
そして、例えば生検鉗子２を構成するサムリング２ｔの孔部を凸部５８ｂに配置させて、図中の上方から下方に移動させていくことによって、載置部５８ａの上面５８ｕ上にサムリング２ｔが載置されて取付状態になる。この取付状態において、スライダ２ｓは、図１に示すように保持部５７の保持溝５７ａ中に配置される。即ち、生検鉗子２のハンドル部２ｈが、処置具操作装置５０の操作部取付部５２に一体的に固定保持される。
【００４５】
リング押さえ部５８の凸部５８ｂには、サムリング２ｔ、３ｔ、４ｔに設けられているＲＦＩＤ２ｒ、３ｒ、４ｒの処置具情報を読み取る処置具情報取得部として処置具ＩＤ読取センサであるＲＦＩＤリーダ５９が設けられている。また、リング押さえ部５８には、通信ケーブル２２の一端が接続されている。通信ケーブル２２の他端は、制御装置２０と電気的に着脱自在に接続されている。
【００４６】
この構成によれば、ＲＦＩＤリーダ５９は、処置具４０である例えば生検鉗子２のサムリング２ｔが凸部５８ｂに近接されたとき、サムリング２ｔに設けられているＲＦＩＤ２ｒの処置具情報を読み取る。そして、ＲＦＩＤリーダ５９は、その読み取った処置具情報を、通信ケーブル２２を介して制御装置２０に出力する。つまり、ＲＦＩＤリーダ５９は、処置具４０の処置具操作装置５０への取付が開始されたことを告知する取付開始信号を兼ねる処置具情報を出力する指示信号出力部である。
【００４７】
なお、通信ケーブル２２は、上述した処置部操作ボックス５３に接続される電気ケーブル２３との複合信号ケーブルとしても良い。
【００４８】
本実施形態の制御装置２０は、内部にＣＰＵによる制御部２５と、処置具情報記憶部であるハードディスク等の記憶装置２６、信号出力部２７、図示しない信号入力部等を備えて構成されている。
【００４９】
記憶装置２６には機種情報に対応させて処置具を動作させる各機種毎の操作用プログラム、シース２ａ、３ａ、４ａの長さ、操作部の位置情報であるハンドル部２ｈ、３ｈ、４ｈの取り付け時におけるサムリング２ｔ、３ｔ、４ｔとスライダ２ｓ、３ｓ、４ｓとの取付時離間距離Ｌ１、Ｌ２、Ｌ３、及びサムリング２ｔ、３ｔ、４ｔに対するスライダ２ｓ、３ｓ、４ｓの最大移動距離Ｓ１、Ｓ２、Ｓ３等が機種情報毎に登録されている。
【００５０】
処置具を動作させる操作用プログラムとは、モータ５５を駆動させて保持部５７と凸部５８ｂとの相対距離を調整して保持部５７と凸部５８ｂとの間隔を、処置具の種類によって異なる操作部の取付時離間距離に一致させるプログラム、操作部の内視鏡１０の処置具チャンネル１４ａを介して体腔内に導入された処置具を、ベテランの医師が操作するのと同様に動作させるプログラム等である。本実施形態において記憶装置２６には、操作用プログラムとして例えば、生検鉗子用プログラム、回転クリップ用プログラム、高周波スネア用プログラム等が登録されている。
【００５１】
制御部２５は例えば記憶部、演算処理部、判定部等を備えて構成されている。信号入力部は、処置具情報取得部、操作レバー信号判定処理部、モータ回転数取得部等を備えている。
【００５２】
信号出力部２７は例えば、処置具操作装置用出力部と、電動進退装置用出力部とを備える。処置具操作装置用出力部は、処置具操作装置５０に取付時離間距離を設定する制御信号、或いは操作レバー３４の傾倒信号に基づいて処置部４１を動作させる制御信号を出力する。電動進退装置用出力部は、操作レバー３４の傾倒信号に基づいて電動進退装置６０のローラ６２を回転駆動させる制御信号を出力する。
【００５３】
なお、制御装置２０内には照明光を供給するランプ（不図示）、及び信号処理回路（不図示）等が設けられている。信号処理回路は、内視鏡の先端部に設けられているＣＣＤ等の撮像素子を駆動する駆動信号を生成する処理、及び撮像素子から伝送される電気信号を映像信号に生成する処理等を行う。制御装置２０には、内視鏡画像を表示する液晶ディスプレイ（不図示）等の表示装置が接続される。
【００５４】
また、図４の符号９はスライダ保持部視認用ラベル（以下、視認ラベルと略記する）である。視認ラベル９は、可動自在なラック５４の例えば先端側表面に設けられている。図５に示すように視認ラベル９の表面には処置具毎に適した保持部５７の配置範囲を示す指標９ａ、９ｂ、９ｃ、９ｄが設けられている。
【００５５】
ラック５４の表面に視認ラベル９を設けたことによって、処置部操作ボックス５３の先端が、例えば図４に示すように、指標９ｄ内に配置されていることによって、ラック５４の基端部に設けられた保持部５７が生検鉗子の配置に適した位置に可動されていることを目視で確認できるようになっている。
【００５６】
上述のように構成した処置具操作装置５０を備える医療システム１の作用を説明する。  
まず、手術で医療システム１を使用する際、スタッフは、制御装置２０に信号ケーブル２１、通信ケーブル２２、電気ケーブル２３、２４を接続する。そして、ケーブル接続後、制御装置２０をオン状態にする。
【００５７】
次に、スタッフは、処置具操作装置５０に手術で使用する処置具、例えば生検鉗子２を取り付ける。その際、スタッフは、生検鉗子２のハンドル部２ｈを構成するサムリング２ｔをリング押さえ部５８の凸部５８ｂに、図６の破線に示す状態から実線に示すように近接させ、サムリング２ｔの孔部を凸部５８ｂに配置させ、その後、サムリング２ｔを載置部５８ａの上面５８ｕに向けて移動させる。
【００５８】
サムリング２ｔが凸部５８ｂに近接されることによって、凸部５８ｂに設けられているＲＦＩＤリーダ５９は、サムリング２ｔに設けられているＲＦＩＤ２ｒの処置具情報、即ち機種情報を取得する。ＲＦＩＤリーダ５９は、取得した処置具情報を瞬時に、制御装置２０の処置具情報取得部に出力する。
【００５９】
処置具情報取得部に処置具情報が入力されると、制御部２５は、処置具の処置具進退装置への取り付けが開始されたと判断して、記憶装置２６に登録されている各種登録データの中から、機種情報に対応する処置具を動作させる生検鉗子用プログラム、及びシースの長さ、取り付け時におけるサムリングとスライダとの取付時離間距離Ｌ１、最大移動距離Ｓ１等を取得する。
【００６０】
その後、制御部２５は、信号出力部２７から処置具操作装置５０に制御信号を出力する。すると、処置部操作ボックス５３のモータ５５が回転されて、ラック５４に一体的に固定されている保持部５７が位置調整のために所定方向に所定距離移動される。具体的には、操作部取付部５２を構成する実線に示す保持部５７が破線に示す位置まで移動されて、保持部５７とリング押さえ部５８の凸部５８ｂとの間隔が、生検鉗子２のハンドル部２ｈを構成するサムリング２ｔとスライダ２ｓとの取付時離間距離Ｌ１に設定される。
【００６１】
なお、ＲＦＩＤリーダ５９が処置具情報を制御部２５に出力してから、制御部２５の制御の基で行われる保持部５７と凸部５８ｂとの間隔を取付時離間距離Ｌ１に設定する作業は、サムリング２ｔが載置部５８ａの上面５８ｕに向けて移動されている移動中に行われる。
【００６２】
したがって、サムリング２ｔが載置部５８ａの上面５８ｕに載置されるとき、保持部５７と凸部５８ｂとの間隔が取付時離間距離Ｌ１に設定されている。このため、スライダ２ｓは、サムリング２ｔが載置部５８ａの上面５８ｕに載置されたとほぼ同時に、保持部５７の保持溝５７ａ中に配置される。このことによって、生検鉗子２の処置具操作装置５０への取り付けが完了する。この後、スタッフは、生検鉗子２のシース２ａを電動進退装置６０を介して、内視鏡１０の処置具チャンネル１４ａ内に挿通しておく。
【００６３】
この後、術者は、内視鏡画像を観察しながらコントローラ３０の操作レバー３４を適宜傾倒操作して、処置具チャンネル１４ａ内に生検鉗子２が挿通されている内視鏡１０の挿入部１４を、被検体の体腔内目的部位に向けて挿入する。そして、術者は、挿入部１４の先端部を目的部位の組織に対峙させる。その後、術者は、内視鏡画像を観察しながら操作レバー３４を、適宜、傾倒操作して組織採取を行う。
【００６４】
なお、最大移動距離Ｓ１を取得したことによって、スライダ２ｓが最大移動距離Ｓ１を越えて移動することを防止している。
【００６５】
このように、処置具の操作部を構成するサムリングに処置具情報として機種情報を登録したＲＦＩＤを設け、処置具操作装置の操作部取付部を構成する凸部にＲＦＩＤの機種具情報を読み取るＲＦＩＤリーダを設けている。このため、処置具を処置具操作装置に取り付ける際、サムリングが凸部に接近されることによって、ＲＦＩＤリーダは、ＲＦＩＤの機種情報を取得して、その取得した機種情報を瞬時に制御装置に出力する。このことによって、処置具の一部が処置具操作装置に配置される以前に、制御装置において処置具の有する機種情報を取得することができる。
【００６６】
また、制御装置に設けられている記憶装置に、処置具を動作させる操作用プログラムに加えて、処置具の取り付け時におけるサムリングとスライダとの離間距離、最大移動距離等の情報を機種毎に予め登録しておく。すると、制御装置に機種情報が入力された後、制御装置は、制御部の制御の基、機種情報に対応するプログラム及び各種情報を取得して、処置具情報に対応する制御信号を信号出力部から処置具操作装置に出力する。このことによって、処置具のサムリングが載置部の上面に載置される以前に、処置具操作装置の操作部取付部を構成する保持部と凸部との間隔を、記憶装置に登録されていた離間距離に設定することができる。
【００６７】
これらのことによって、処置具を処置具操作装置にセットする際、スタッフによって行われていた、処置具操作装置に設けられている操作部取付部の取付位置を処置具の操作部に一致させる調整作業が不要になる。言い換えれば、処置具を処置具操作装置に取り付ける作業が簡便化される。
【００６８】
なお、上述した実施形態においては、処置具操作装置５０を構成するリング押さえ部の凸部にＲＦＩＤリーダを設け、処置具を構成するハンドル部のサムリングにＲＦＩＤを設ける構成としている。しかし、図７に示すように処置具特定装置（以下、セレクタと記載する）７０を有する処置具操作装置５０Ａを構成するようにしてもよい。
【００６９】
図７に示す処置具操作装置５０Ａは、セレクタ７０を備えている。セレクタ７０は、信号ケーブル７１を介して制御装置２０と電気的に着脱自在に接続される。セレクタ７０は、例えば複数の処置具選択部（以下、ボタンと記載する）７２、７３、７４、７５、７６を備えている。スタッフ等が、処置具操作装置５０Ａに取り付ける処置具に対応するボタン、例えばボタン７２を押し込み操作すると、制御装置２０の信号入力部に処置具が生検鉗子であることを特定する処置具特定情報が出力される。
【００７０】
各ボタン７２、７３、７４、７５、７６の近傍である例えば上側には処置具の種類を表す文字、或いはイラスト、記号が印字される。本実施形態においては記号が印字されている。印字された「ＦＢ」は生検鉗子を示し、「ＳＤ」は高周波スネアを示し、「ＦＧ」は把持鉗子を示し、「ＨＸ」は回転クリップ装置を示し、「ＮＭ」は注射針を示している。なお、セレクタ７０には以上のボタンの他にも「Ｂ」で示されるバルーンカテーテル用のボタン、「ＫＤ」で示される高周波ナイフ用のボタン等を設けられるようになっている。
【００７１】
その他の構成は、上述した実施形態と同様であり、同部材には同符号を付して説明を省略する。
【００７２】
上述のように構成したセレクタ７０を有する処置具操作装置５０Ａを備えた医療システム１Ａの作用を説明する。
【００７３】
まず、手術で医療システム１Ａを使用する際、スタッフは、制御装置２０に信号ケーブル２１、７１、通信ケーブル２２、電気ケーブル２３、２４を接続する。そして、接続後、制御装置２０をオン状態にする。
【００７４】
次に、スタッフは、処置具操作装置５０Ａに手術で使用する処置具、例えば生検鉗子２を取り付ける場合、セレクタ７０のボタン７２を押し込み操作する。すると、セレクタ７０から制御装置２０の処置具情報取得部に向けて処置具情報が出力される。
【００７５】
処置具情報取得部に処置具情報が入力されると、制御部２５は、瞬時に、記憶装置２６に登録されている各種登録データの中から、処置具を動作させる生検鉗子用プログラム、及びシース２ａの長さ、取り付け時におけるサムリングとスライダとの取付時離間距離Ｌ１、最大移動距離Ｓ１等を取得する。
【００７６】
その後、制御部２５は、信号出力部２７から処置具操作装置５０Ａに制御信号を出力する。すると、処置部操作ボックス５３のモータ５５が回転されて、ラック５４に一体的に固定されている保持部５７が所定方向に所定距離移動される。そして、操作部取付部５２を構成する保持部５７とリング押さえ部５８の凸部５８ｂとの間隔が、生検鉗子２のハンドル部２ｈを構成するサムリング２ｔとスライダ２ｓとの取り付け時の離間距離であるＬ１に設定される。このため、生検鉗子２を処置具操作装置５０Ａに容易に取り付けられる。
【００７７】
なお、スタッフが視認ラベル９を視認して、ラック５４が生検鉗子取付位置まで移動しているか否かを確認した後、生検鉗子２を処置具操作装置５０Ａに取り付けるようにしてもよい。
【００７８】
このように、制御装置に接続されるセレクタを設けることによって、ＲＦＩＤが設けられていない処置具を、処置具操作装置に取り付ける作業を容易に行うことができる。
【００７９】
その他の作用及び効果は上述した実施形態と同様である。
【００８０】
尚、本発明は、以上述べた実施形態のみに限定されるものではなく、発明の要旨を逸脱しない範囲で種々変形実施可能である。
【図面の簡単な説明】
【００８１】
【図１】処置具操作装置を備えた医療システムを説明する図
【図２】処置具の構成を説明する図。
【図３】処置具操作装置の構成を説明する側面図
【図４】処置具操作装置の構成を説明する平面図
【図５】スライダ保持部視認用ラベルを説明する図
【図６】処置具操作装置の作用を説明する図
【図７】処置具特定装置を有する処置具操作装置を備えた医療システムを説明する図
【符号の説明】
【００８２】
１…医療システム    ２…生検鉗子    ２ａ…シース    ２ｂ…組織採取部    
２ｃ…生検カップ    ２ｈ…ハンドル部    ２ｓ…スライダ    ２ｔ…サムリング
２ｗ…操作ワイヤ    ３…回転クリップ    ３ａ…シース    ３ｂ…クリップユニット
３ｃ…クリップ    ３ｄ…鉤部    ３ｆ…ループ    ３ｈ…ハンドル部    
３ｉ…内シース    ３ｏ…外シース    ３ｓ…スライダ    ３ｔ…サムリング
３ｗ…操作ワイヤ    ４…高周波スネア    ４ａ…シース    ４ｂ…スネア部
４ｈ…ハンドル部    ４ｓ…スライダ    ４ｔ…サムリング    ４ｗ…操作ワイヤ
９…視認ラベル    ９ａ、９ｂ、９ｃ、９ｄ…指標    １０…内視鏡    １４…挿入部
１４ａ…処置具チャンネル    ２０…制御装置    ２１…信号ケーブル
２２…通信ケーブル    ２３…電気ケーブル    ２４…電気ケーブル    ２５…制御部
２６…記憶装置    ２７…信号出力部    ３０…コントローラ    ４０…処置具
４１…処置部    ４２…シース    ５０…処置具操作装置    ５１…ベース体    
５２…操作部取付部    ５３…処置部操作ボックス    ５４…ラック    ５５…モータ
５６…載置部    ５７…保持部    ５７ａ…保持溝    ５８…リング押さえ部
５８ａ…載置部    ５８ｂ…凸部    ５８ｕ…上面    ５９…ＲＦＩＤリーダ    
６０…電動進退装置    ６１…筐体    ６２…ローラ    ７０…セレクタ    
７１…信号ケーブル  
【図１】
0005468745.tif 000002
【図２】
0005468745.tif 000003
【図３】
0005468745.tif 000004
【図４】
0005468745.tif 000005
【図５】
0005468745.tif 000006
【図６】
0005468745.tif 000007
【図７】
0005468745.tif 000008